(57)【要約】【課題】  ＨＬＲに障害が発生した場合、ＨＬＲが管理している移動局の通信不可を防ぐ移動通信システムを提供する。【解決手段】  ＢＳＣは、ＨＬＲ障害を検出するＨＬＲ障害検出機能と、ＢＳＣ内部でＨＬＲと同等の位置情報を管理し、ＨＬＲ障害時にＢＳＣ内部の位置情報を使用するＨＬＲ代行機能と、を備えることにより、実際にＨＬＲが障害になった場合、ＢＳＣ内でＨＬＲ障害を検出し、その後の移動局からの通信要求に対して、ＢＳＣは、通常のＨＬＲから取得していた情報の代わりに、ＢＳＣ内部で管理している位置情報から取得するように切り替える。【選択図】  図４
2006332837.tif 000002
【特許請求の範囲】
【請求項１】
移動局と、該移動局と通信を行う回線制御装置と、該回線制御装置と通信を行い、前記移動局を管理する管理装置と、を有し、
前記回線制御装置は、前記管理装置の機能を代行することを特徴とする移動通信システム。
【請求項２】
無線基地局を介して移動局と通信を行う回線制御装置と、
該回線制御装置と通信を行い、前記移動局の位置情報を管理する管理装置と、
を有する移動通信システムであって、
前記回線制御装置は、
前記管理装置が管理している位置情報と同じ位置情報を管理する位置情報管理手段と、
前記管理装置の障害を検出して認識する障害検出手段と、
前記管理装置の障害を認識した後、前記位置情報管理手段で管理している位置情報を使用するように切り替える切替手段と、を有し、
前記管理装置の機能を代行して、位置登録処理及び通信要求に対する接続処理を行うことを特徴とする移動通信システム。
【請求項３】
前記障害検出手段は、
前記管理装置からのヘルスチェック応答の有無に基づいて判定する第１の判定と、
前記管理装置からの位置登録応答の待ち数に基づいて判定する第２の判定と、を行い、
前記第１の判定及び前記第２の判定の結果に基づいて前記管理装置の障害を検出することを特徴とする請求項２記載の移動通信システム。
【請求項４】
前記位置情報管理手段は、前記位置情報と共に前記移動局の登録情報を管理することを特徴とする請求項２又は３記載の移動通信システム。
【請求項５】
移動局及び該移動局を管理する管理装置と通信を行い、前記管理装置の機能を代行することを特徴とする回線制御装置。
【請求項６】
無線基地局を介して移動局と通信を行い、かつ、前記移動局の位置情報を管理する管理装置と通信を行う回線制御装置であって、
前記管理装置が管理している位置情報と同じ位置情報を管理する位置情報管理手段と、
前記管理装置の障害を検出して認識する障害検出手段と、
前記管理装置の障害を認識した後、前記位置情報管理手段で管理している位置情報を使用するように切り替える切替手段と、を有し、
前記管理装置の機能を代行して、位置登録処理及び通信要求に対する接続処理を行うことを特徴とする回線制御装置。
【請求項７】
前記障害検出手段は、
前記管理装置からのヘルスチェック応答の有無に基づいて判定する第１の判定と、
前記管理装置からの位置登録応答の待ち数に基づいて判定する第２の判定と、を行い、
前記第１の判定及び前記第２の判定の結果に基づいて前記管理装置の障害を検出することを特徴とする請求項６記載の回線制御装置。
【請求項８】
前記位置情報管理手段は、前記位置情報と共に前記移動局の登録情報を管理することを特徴とする請求項６又は７記載の回線制御装置。
【請求項９】
移動局と、該移動局と通信を行う回線制御装置と、該回線制御装置と通信を行い、前記移動局を管理する管理装置と、を用い、
前記回線制御装置は、前記管理装置の機能を代行することを特徴とする移動通信方法。
【請求項１０】
無線基地局を介して移動局と通信を行う回線制御装置と、
該回線制御装置と通信を行い、前記移動局の位置情報を管理する管理装置と、
を用いて行う移動通信方法であって、
前記回線制御装置は、
前記管理装置が管理している位置情報と同じ位置情報を登録する位置情報登録ステップと、
前記管理装置の障害を検出して認識する障害検出ステップと、
前記管理装置の障害を認識した後、前記位置情報管理ステップで管理している位置情報を使用するように切り替える切替ステップと、を有し、
前記管理装置の機能を代行して、位置登録処理及び通信要求に対する接続処理を行うことを特徴とする移動通信方法。
【請求項１１】
前記障害検出ステップにて、
前記管理装置からのヘルスチェック応答の有無に基づいて判定する第１の判定と、
前記管理装置からの位置登録応答の待ち数に基づいて判定する第２の判定と、を行い、
前記第１の判定及び前記第２の判定の結果に基づいて前記管理装置の障害を検出することを特徴とする請求項１０記載の移動通信方法。
【請求項１２】
前記位置情報登録ステップにて、前記位置情報と共に前記移動局の登録情報を登録することを特徴とする請求項１０又は１１記載の移動通信方法。
【請求項１３】
回線制御装置に、
移動局を管理する管理装置の機能を代行する処理を実行させるプログラム。
【請求項１４】
移動局と通信を行う回線制御装置に、
管理装置が管理している位置情報と同じ位置情報を登録する位置情報登録処理と、
前記管理装置の障害を検出して認識する障害検出処理と、
前記管理装置の障害を認識した後、前記位置情報管理処理で管理している位置情報を使用するように切り替える切替処理と、
前記管理装置の機能を代行して、位置登録処理及び通信要求に対する接続処理を実行させるプログラム。
【請求項１５】
前記回線制御装置に、
前記障害検出処理にて、前記管理装置からのヘルスチェック応答の有無に基づいて判定する第１の判定処理と、前記管理装置からの位置登録応答の待ち数に基づいて判定する第２の判定処理と、を実行させ、
前記第１の判定及び前記第２の判定の結果に基づいて前記管理装置の障害を検出させる請求項１４記載のプログラム。
【請求項１６】
前記回線制御装置に、
前記位置情報登録処理にて、前記位置情報と共に前記移動局の登録情報を登録する処理を実行させる請求項１４又は１５記載のプログラム。
【発明の詳細な説明】
【技術分野】
【０００１】
本発明は、管理装置にて移動局の位置情報等を管理し、管理装置の障害時に、他の装置で管理装置の代行を行う移動通信システム、回線制御装置、移動通信方法及びプログラムに関する。
【背景技術】
【０００２】
従来、移動通信システムにおいて、移動局の位置情報及び登録情報を管理しているホームロケーションレジスタ（Home Location Resister：以下、ＨＬＲという）が障害になると、ＨＬＲが管理している移動局の通信の実施が不可となる。つまり、ＨＬＲが設置されている地区内に在圏している移動局の発信及び着信が不可となり、地区単位でのシステムダウンとなり、ＨＬＲが復旧するまで通信することが不可となる。このような状態に陥ることを防ぎ、装置の安全性を高めるために、ＨＬＲ自体の２重化構成を取ることが従来一般的に行われているが、この２重化構成自体が高価なシステム構成であるのでコスト面が増加してしまう。また、２重化構成にすると、情報の同期（ミラーリング）等の複雑な処理が必要となり、データの同期処理面でも複雑なシステム構成となってしまう。
【０００３】
図２を参照して具体的に説明すると、従来の構成では、ＨＬＲ（２Ａ）が障害になった場合、地区１内の通信及び地区１から他地区（図２では地区２）へ通信、又は他地区から地区１への通信が不可となり、地区１ではシステムダウンとなる。
【０００４】
移動機を用いた移動通信システムの従来技術例として、近い将来の移動機の状態遷移を予測してパスを張る基地局を決定する「ＣＤＭＡ移動通信システムにおけるパス接続制御方式」がある（例えば、特許文献１参照）。また、基地局から移動機へ向けて送信する下り信号の送信電力を監視することで受信系統が故障した移動機の存在を検出し、故障した移動機からの下り送信電力増加要求によって下り送信電力が不必要に増加されるのを防ぐ「ＣＤＭＡシステム及び故障移動機検出方法」がある（例えば、特許文献２参照）。また、１つの構内交換機に複数の回線制御装置を接続し、その相互間を専用の通信路ハイウェイで接続するとともに、データベース管理装置を設けて複数の回線制御装置とＬＡＮハイウェイで接続し、携帯機の位置登録とゾーン切り替えを行う「無線通信方式」がある（例えば、特許文献３参照）。また、移動端末の回線を制御する機能を持たない交換機を用いて移動通信システムを容易に構築できる「移動端末着信制御システム」がある（例えば、特許文献４参照）。
【特許文献１】特開２０００−２１７１３８号公報
【特許文献２】特開２００３−１８０６８号公報
【特許文献３】特開平６−３３９１７４号公報
【特許文献４】特開平９−３２２２４７号公報
【発明の開示】
【発明が解決しようとする課題】
【０００５】
しかしながら、上記特許文献１〜４の発明では、ＨＬＲ障害時に他の装置がＨＬＲの管理機能を代行することはできない。
【０００６】
以上のことから、本発明は、図２において、通常時にＨＬＲ（２Ａ）内部で保持している移動局の位置情報をＢＳＣ内部にも管理させることで情報の共有化を行い、ＢＳＣがＨＬＲの代行を行うようにすることを目的とする。これにより、ＨＬＲ（２Ａ）が障害になっても１地区全体がシステムダウンすることなく、通信サービスの継続が可能となる。また、コスト面においては、ＨＬＲの２重化構成を実施するよりもシステムとして必然的な装置であるＢＳＣに位置情報を管理させることで新たな２重化用のＨＬＲを設置することなく、既存のシステム構成に追加機能を持たせることで実施できるので、２重化構成よりも安価なシステム構成が可能である。また、２重化構成の処理には、２重化されている装置間の同期処理及び切替処理等の複雑な処理は発生するが、本発明ではＢＳＣから見てＨＬＲが障害であると認識すればＢＳＣ内部の位置情報で処理を行うので、簡単な処理となる。
【０００７】
よって、本発明は、移動通信システムにおいて、移動局の位置情報及び登録情報を管理するＨＬＲに障害が発生した場合、ＨＬＲが管理している移動局の通信不可を防ぐために回線制御装置（Base Station Controller：以下、ＢＳＣという）内部においても移動局の位置情報を管理することでＨＬＲ障害時の通信不可を防止可能な、移動通信システム、回線制御装置、移動通信方法及びプログラムを提供することを目的とする。
【課題を解決するための手段】
【０００８】
かかる目的を達成するために、請求項１記載の発明は、移動局と、移動局と通信を行う回線制御装置と、回線制御装置と通信を行い、移動局を管理する管理装置と、を有し、回線制御装置は、管理装置の機能を代行することを特徴とする。
【０００９】
請求項２記載の発明は、無線基地局を介して移動局と通信を行う回線制御装置と、回線制御装置と通信を行い、移動局の位置情報を管理する管理装置と、を有する移動通信システムであって、回線制御装置は、管理装置が管理している位置情報と同じ位置情報を管理する位置情報管理手段と、管理装置の障害を検出して認識する障害検出手段と、管理装置の障害を認識した後、位置情報管理手段で管理している位置情報を使用するように切り替える切替手段と、を有し、管理装置の機能を代行して、位置登録処理及び通信要求に対する接続処理を行うことを特徴とする。
【００１０】
請求項３記載の発明は、請求項２記載の発明において、障害検出手段は、管理装置からのヘルスチェック応答の有無に基づいて判定する第１の判定と、管理装置からの位置登録応答の待ち数に基づいて判定する第２の判定と、を行い、第１の判定及び第２の判定の結果に基づいて管理装置の障害を検出することを特徴とする。
【００１１】
請求項４記載の発明は、請求項２又は３記載の発明において、位置情報管理手段は、位置情報と共に移動局の登録情報を管理することを特徴とする。
【００１２】
請求項５記載の発明は、移動局及び移動局を管理する管理装置と通信を行い、管理装置の機能を代行することを特徴とする。
【００１３】
請求項６記載の発明は、無線基地局を介して移動局と通信を行い、かつ、移動局の位置情報を管理する管理装置と通信を行う回線制御装置であって、管理装置が管理している位置情報と同じ位置情報を管理する位置情報管理手段と、管理装置の障害を検出して認識する障害検出手段と、管理装置の障害を認識した後、位置情報管理手段で管理している位置情報を使用するように切り替える切替手段と、を有し、管理装置の機能を代行して、位置登録処理及び通信要求に対する接続処理を行うことを特徴とする。
【００１４】
請求項７記載の発明は、請求項６記載の発明において、障害検出手段は、管理装置からのヘルスチェック応答の有無に基づいて判定する第１の判定と、管理装置からの位置登録応答の待ち数に基づいて判定する第２の判定と、を行い、第１の判定及び第２の判定の結果に基づいて管理装置の障害を検出することを特徴とする。
【００１５】
請求項８記載の発明は、請求項６又は７記載の発明において、位置情報管理手段は、位置情報と共に移動局の登録情報を管理することを特徴とする。
【００１６】
請求項９記載の発明は、移動局と、移動局と通信を行う回線制御装置と、回線制御装置と通信を行い、移動局を管理する管理装置と、を用い、回線制御装置は、管理装置の機能を代行することを特徴とする。
【００１７】
請求項１０記載の発明は、無線基地局を介して移動局と通信を行う回線制御装置と、回線制御装置と通信を行い、移動局の位置情報を管理する管理装置と、を用いて行う移動通信方法であって、回線制御装置は、管理装置が管理している位置情報と同じ位置情報を登録する位置情報登録ステップと、管理装置の障害を検出して認識する障害検出ステップと、管理装置の障害を認識した後、位置情報管理ステップで管理している位置情報を使用するように切り替える切替ステップと、を有し、管理装置の機能を代行して、位置登録処理及び通信要求に対する接続処理を行うことを特徴とする。
【００１８】
請求項１１記載の発明は、請求項１０記載の発明において、障害検出ステップにて、管理装置からのヘルスチェック応答の有無に基づいて判定する第１の判定と、管理装置からの位置登録応答の待ち数に基づいて判定する第２の判定と、を行い、第１の判定及び第２の判定の結果に基づいて管理装置の障害を検出することを特徴とする。
【００１９】
請求項１２記載の発明は、請求項１０又は１１記載の発明において、位置情報登録ステップにて、位置情報と共に移動局の登録情報を登録することを特徴とする。
【００２０】
請求項１３記載の発明は、回線制御装置に、移動局を管理する管理装置の機能を代行する処理を実行させる。
【００２１】
請求項１４記載の発明は、移動局と通信を行う回線制御装置に、管理装置が管理している位置情報と同じ位置情報を登録する位置情報登録処理と、管理装置の障害を検出して認識する障害検出処理と、管理装置の障害を認識した後、位置情報管理処理で管理している位置情報を使用するように切り替える切替処理と、管理装置の機能を代行して、位置登録処理及び通信要求に対する接続処理を実行させる。
【００２２】
請求項１５記載の発明は、請求項１４記載の発明において、回線制御装置に、障害検出処理にて、管理装置からのヘルスチェック応答の有無に基づいて判定する第１の判定処理と、管理装置からの位置登録応答の待ち数に基づいて判定する第２の判定処理と、を実行させ、第１の判定及び第２の判定の結果に基づいて管理装置の障害を検出させる。
【００２３】
請求項１６記載の発明は、請求項１４又は１５記載の発明において、回線制御装置に、位置情報登録処理にて、位置情報と共に移動局の登録情報を登録する処理を実行させる。
【発明の効果】
【００２４】
本発明によれば、ＨＬＲ障害時にシステムダウンすることなく継続して通信でき、また、既存のシステム構成のＢＳＣに機能を追加することでＨＬＲの代用としての機能を実現するので、従来行われていたＨＬＲを二重化するコストに比べて安価にシステムを構築できる。
【発明を実施するための最良の形態】
【００２５】
以下、本発明を実施するための最良の形態について添付図面を参照して詳細に説明する。
【実施例】
【００２６】
本発明は、移動通信システムにおいて、移動局の位置情報（在圏しているエリアを示す情報）を管理装置及び他の装置が共に管理し、管理装置の障害時に他の装置が管理を代行することで、障害時でも位置情報を使用できることを特徴とする。
【００２７】
図１は、本実施例の移動通信システムの構成を示す図である。図１中のＨＬＲは、１地区当たりの移動局（ＭＬ：陸上移動局）の位置情報管理と登録情報管理とを行う管理装置である。通常、移動局は、ホーム（地区）とする１つのＨＬＲに所属しており、その地区内での移動局が在圏している位置情報をＨＬＲが管理する。よって、各移動局が何処に在圏しているのかを示す位置情報をＨＬＲ内で管理することより、ＨＬＲ内で管理されている各移動局に対する発着信の処理が可能となる。また、ＨＬＲは地区単位の移動局の位置情報と登録情報とを管理する管理装置でもある。
【００２８】
一方、ビジターロケーションレジスタ（Visitor Location Resister：以下、ＶＬＲという）は、ＨＬＲが設置され、ホームとされている地区以外に在圏している移動局の位置情報を一時的に管理する管理装置である。
【００２９】
図１において、ＨＬＲが障害になると、ＨＬＲ管理配下の移動局からの発信及び着信が不可となる。そこで、本発明の特徴として、ＢＳＣは、ＨＬＲが障害になるとＢＳＣ側でＨＬＲ障害を検出するＨＬＲ障害検出機能と、ＢＳＣ内部でＨＬＲと同等の位置情報を予めＨＬＲから取得して登録し、管理する位置情報管理機能と、ＨＬＲ障害時にＢＳＣ内部で管理する位置情報を使用するように切り替える切替機能と、を有することにより、ＨＬＲの機能の代行を行う。すなわち、実際にＨＬＲが障害になった場合、ＢＳＣは、ＨＬＲ障害検出機能によりＨＬＲ障害を検出し、その後の移動局からの通信要求に対して、ＢＳＣは、切替機能により、通常のＨＬＲから取得していた情報の代わりに、位置情報管理機能により予め登録されてＢＳＣ内部で管理している位置情報から取得するように切り替える。よって、通信処理中（接続中）にＨＬＲから取得していた情報と同等の情報をＢＳＣ内部から取得することができ、ＨＬＲ障害後も通信を継続することが可能となる。従って、本発明は、従来のようなＨＬＲ障害時にシステムダウンすることなく通信することが可能となる。
【００３０】
図３は、従来の移動通信システムのシステム構成を示す図である。
図３に示すように、移動局（ＭＬ１）が無線ゾーン（５Ａ−１）から無線ゾーン（５Ｂ−２）へ移動した際に無線ゾーンを切り替えることにより移動局（ＭＬ１）は、位置登録要求をＢＴＳ（４Ｂ−２）へ送信する。位置登録要求とは、移動局が在圏している無線ゾーンをＨＬＲ（２Ａ）へ通知する機能である。また、ＨＬＲ側では位置登録の際に該当移動局がどの無線ゾーンにいるのかを管理するだけではなく、その移動局の情報があっているのかどうかを確認する。この処理は、不正な移動局が無いかどうか確認するために行われる。従って、図３で示す移動局（ＭＬ１）の位置登録要求は地区間を移動しており、地区２側のＨＬＲ（２Ｂ）には移動局（ＭＬ１）の情報がないためＶＬＲ（１）で処理するが、実際に移動局（ＭＬ１）を管理しているのはＨＬＲ（２Ａ）である。従って、移動局（ＭＬ１）の情報管理がＨＬＲ（２Ａ）しかないので、ＶＬＲ（１）はＨＬＲ（２Ａ）に対して移動局の位置情報の取得要求を行い、ＶＬＲ（１）でも位置情報を取得し、位置登録に対する処理を行う。地区１以外に移動局（ＭＬ１）が在圏する場合は、一時的にＶＬＲが代行して位置情報の管理を行う。すなわち、ＶＬＲ（１）では移動局（ＭＬ１）の位置情報を無線ゾーン（５Ａ−１）から無線ゾーン（５Ｂ−２）に更新する。
【００３１】
一方、図３において、移動局（ＭＬ２）のように地区１内の無線ゾーンを移動した場合は、ＨＬＲ（２Ａ）内の位置情報を無線ゾーン（５Ａ−１）から無線ゾーン（５Ａ−２）に更新する。このような位置情報の管理により各移動局がどの無線ゾーンにいるのかをＨＬＲ又はＶＬＲで管理する。これにより、各移動局への通信接続要求に対して、ＢＳＣは、ＨＬＲ又はＶＬＲが管理している該当移動局の位置情報を取得し、移動局がどの無線ゾーンに在圏しているのかが分かり、通信接続することが可能となる。この処理は、従来の位置登録管理及び移動局からの通信要求時にＢＳＣが接続処理する処理である。
【００３２】
しかしながら、図３において、ＨＬＲ（２Ａ）が障害となった場合、移動局（ＭＬ１）及び移動局（ＭＬ２）が無線ゾーンを移動しても、両者の移動局を管理しているＨＬＲ（２Ａ）が障害状態であるため、移動局（ＭＬ１）の場合は、ＶＬＲ側が移動局（ＭＬ１）の必要な情報を取得することができず、結果としてＶＬＲ（１）で位置登録の処理を実施することができない。また、移動局（ＭＬ２）の場合も、無線ゾーンが（５Ａ―１）から（５Ａ−２）へ移動したことを、ＨＬＲ（２Ａ）の障害のため管理することができない。つまり、両者とも位置登録処理及び位置登録管理ができない。従って、移動局の管理ができないことより各移動局がどの無線ゾーンに在圏しているのかが分からず、ＢＳＣ（３Ａ）としても通信要求の度に該当移動局がどの無線ゾーンに在圏するのかが分からないため、通信の接続自体が不可となり、ＨＬＲ（２Ａ）で管理されていた移動局の発着信及び位置登録処理が不可となる。
【００３３】
本実施例は、図３において、ＨＬＲ（２Ａ）が障害になっても、ＢＳＣ（３Ａ）の内部にＨＬＲ（２Ａ）で管理している移動局の位置情報と同等な情報を通常時から保持していることで、ＢＳＣ（３Ａ）がＨＬＲ（２Ａ）障害と認識すると、ＢＳＣ内部で管理されていた位置情報を基に、移動局の在圏している無線ゾーンを取得することができるため、従来のようにＨＬＲ（２Ａ）で管理されている移動局の位置登録及び通信の不可に陥ることなく、位置登録及び通信サービスの継続が可能となる。
【００３４】
本実施例の動作について説明する。本実施例のＢＳＣは、プログラム制御により以下の処理動作を行う。
本実施例のＢＳＣは、通常時にＨＬＲで管理している位置情報をＨＬＲから予め取得して登録し、管理する機能（位置情報管理手段）と、ＨＬＲが障害時に障害になったことを検出して認識する機能（障害検出手段）と、ＨＬＲ障害を認識した後、ＢＳＣ内部（例えば、データベース等）で管理する位置情報を使用するように切り替える機能（切替手段）と、を有することにより、システムダウンすることなく継続して、位置登録処理及び通信要求に対する接続処理を行う。よって、本実施例のＢＳＣは、ＨＬＲの位置登録／情報管理の代行機能を有する。
【００３５】
まず、従来のシステムと本実施例のシステムとの位置登録／情報管理の違いを図４及び図５に示す。図４は、同一地区内での位置登録を示し、（ａ）は従来のＢＳＣの位置登録処理（位置情報の保持無し）を示す図であり、（ｂ）は本発明のＢＳＣの位置登録処理（位置情報の保持）を示す図である。図５は、他地区での位置登録を示し、（ａ）は従来のＢＳＣの位置登録処理（位置情報の保持無し）を示す図であり、（ｂ）は本発明のＢＳＣの位置登録処理（位置情報の保持）を示す図である。
【００３６】
図３に示す同一地区内での移動時（図３のＭＬ２の移動を示す）の場合、従来のシステムは、図４（ａ）に示すように、移動局（ＭＬ）からの位置登録はＢＳＣ内を経由して（ＨＬＲが処理する。同様の場合、本実施例のシステムでは、図４（ｂ）に示すように、要求に対する応答時にＢＳＣ内でも位置登録ができるデータベース（ＤＢ２）を追加して位置情報を管理する。
【００３７】
移動局が所定の地区から別の地区を移動する場合、すなわち、図３に示す地区１から地区２又は地区２から地区１へ移動時（図３のＭＬ１の移動を示す）の場合、従来のシステムは、図５（ａ）に示すように移動局（ＭＬ）からの位置登録に対してＶＬＲは該当移動局が管理されているＨＬＲに対して情報取得の要求（取得要求１）を行い、ＶＬＲ側で情報を取得して（取得応答１）、位置登録処理を実施する。同様の場合、本実施例のシステムでも取得要求時にＨＬＲがＢＳＣ側へ位置情報を通知（図５（ｂ）の更新要求１）することで通常時にＢＳＣ側でもＨＬＲと同等な情報を取得及び管理することができる。つまり、図６に示すように、本実施例のシステムのＢＳＣは、従来のＢＳＣの回線制御装置（交換機）としての機能に加えて、ＨＬＲと同等な位置情報の管理機能を備える。
【００３８】
次に、ＢＳＣによるＨＬＲ障害検出について説明する。
ＢＳＣによるＨＬＲの障害検出の方法としては２つ（判定１と判定２）ある。判定１は、ＢＳＣとＨＬＲ間で定期的に装置間の状態監視を行う方法である。仮にＢＳＣがＨＬＲに対してヘルスチェック要求（状態監視のためのメッセージ）を送信して、ＨＬＲが要求を受信すると、受信したことをＢＳＣでも認識できるようにするため、ＨＬＲはヘルスチェック応答をＢＳＣへ送信する。これにより一定周期で互いの装置が正常か異常かどうかの確認が可能となる。よって、図８（ａ）に示すように、ＢＳＣは、装置間の状態監視によりヘルスチェック応答の有無を判断する（ステップＳ１）。応答があった場合は（ステップＳ１／有り）、ＨＬＲは正常であると認識し（ステップＳ３）、応答が無い場合は（ステップＳ１／無し）、ＨＬＲは障害であると認識する（ステップＳ２）。
【００３９】
判定２は、図４（ａ）及び（ｂ）で示すように、移動局から位置登録要求を受信すると、通常ＢＳＣは，ＨＬＲへ位置登録の要求を行う。この要求に対してＨＬＲ側が正常であれば、応答がＢＳＣ側に送信される（図４での応答１を示す）。しかし、ＨＬＲが障害であれば、ＢＳＣからＨＬＲへ位置登録の要求を送信してもＨＬＲからの応答が無く（図７（ａ）及び（ｂ）参照）、ＢＳＣとしては位置登録応答待ち状態となる。ここで、図８（ｂ）に示すように、ＢＳＣは、ＨＬＲへの位置情報問い合わせの応答待ち数を判断する（ステップＳ１１）。位置登録問い合わせの応答待ち数が予め設定された数以下の場合は（ステップＳ１１／規定値以下）、ＨＬＲは正常であると認識し（ステップＳ１３）、位置登録問い合わせの応答待ち数が予め設定された数以上の場合は（ステップＳ１１／規定値以上）、ＨＬＲは障害であると認識する（ステップＳ１２）。
【００４０】
このように、ＢＳＣは２つの判定を行うことによって、ＨＬＲの障害を認識する。なお、判定１と判定２の個々の判定では、装置間の回線上での要求又は応答電文の欠落及び短時間に突発的な位置登録要求の増加が発生すると、判定２ではＨＬＲ障害の誤認識する可能性があるため、判定１と判定２の２つの判定でＨＬＲの障害検出を行う。判定結果の例を図８（ｃ）の表に示す。
【００４１】
そして、ＢＳＣが上記ＨＬＲの障害検出方法（判定１及び判定２）によりＨＬＲが障害と認識した場合、ＢＳＣは、その後の移動局からの位置登録要求に対する処理と、移動局の位置情報管理及び通信要求に対する接続先の移動局の在圏している無線ゾーンの検索として、通常通りのＨＬＲへ取得要求するのではなく、ＨＬＲと同等の位置情報を保持しているＢＳＣ内部のデータベース（ＤＢ）を使用するように切り替えて位置登録及び通信の接続処理とを行い、ＨＬＲの機能を代行する。よって、通信サービスが劣化することなく、移動通信システムとしてのシステム操作の継続が可能となる。
【００４２】
従来は、移動局が同一地区内を移動した場合（図７（ａ）参照）や、移動局が地区間を移動した場合（図９（ａ）参照）において、ＨＬＲ障害が発生すると、ＨＬＲからの応答がされず、ＢＳＣがＨＬＲの代行機能を実施することがないため、ＨＬＲが管理している移動局の位置登録及び通信の発着信が不可となり、地区単位でのシステムダウンとなってしまう。しかし、本発明では、移動局が同一地区内を移動した場合（図７（ｂ）参照）や、移動局が地区間を移動した場合（図９（ｂ）参照）において、ＨＬＲ障害が発生した場合でも、ＤＢ２を備えることによりＨＬＲからの応答が行われ、ＢＳＣがＨＬＲの代行機能を実施するので、地区単位でのシステムダウンを回避することができる。
【００４３】
また、本実施例は、従来の移動通信システムに新規に装置を追加することなく既存の装置（ＢＳＣ）に機能を追加することより、従来のシステム構築に影響を与えることなくシステム構成が可能である。従来は、ＨＬＲとＢＳＣ間の機能の共有管理よりもＨＬＲ装置自体の２重化が主流であり、２重化自体システム的には複雑になる。従来の一般的な２重化については、図１０に示すように、運用系及び待機系の切替管理やそれぞれの２重化装置間の位置情報及び登録情報の同期化（ミラーリング）の管理等の複雑な処理が発生する。
【００４４】
また、ＢＳＣ−ＨＬＲ間の装置間の監視自体は、従来システムにおいてＨＬＲの２重化を実施していても必要な処理であり、既存の構成においてもＢＳＣはＨＬＲが障害になったことを認識することが可能である。例えば、図１１（ａ）に示すように、ＨＬＲの２重化構成がされている場合は、ＨＬＲ（運用系）とＢＳＣとの間で互いの運用状態を確認するヘルスチェックが行われ、また、図１１（ｂ）に示すように、ＨＬＲの２重化構成がされていない場合にも、ＨＬＲとＢＳＣとの間で互いの運用状態を確認するヘルスチェックが行われる。
【００４５】
従って、本実施例は、従来の装置構成にＢＳＣのＨＬＲ代行機能を追加することでＨＬＲの２重化を実施することなく、従来と変わらない構成でシステムとしてＨＬＲ障害による１地区の通信不可を防ぐことが可能になる。
【００４６】
以上説明したように、本実施例によれば、現状の移動通信システム構成を変更することなく、ＢＳＣ自体に移動局の位置情報を保持する機能追加することでＨＬＲ障害時の１地区の通信不可を防ぐことが可能となる。また、ＨＬＲ装置を２重化する構成に比べると安価で且つ容易に構築できる。
【００４７】
なお、上記本実施例では、ＢＳＣの追加機能として、データベース等の位置情報管理手段が移動局の位置情報を管理することになっているが、移動局の登録情報も保持する機能を追加してもよい。これにより、システムとしてのバックアップだけではなく、ＨＬＲのバックアップとしても代用することが可能となる。
【００４８】
以上、本発明の実施例について説明したが、上記実施例に限定されるものではなく、その要旨を逸脱しない範囲において種々の変形が可能である。
【産業上の利用可能性】
【００４９】
本発明は、広範囲の無線ゾーンで使用される移動体通信端末を対象とする移動通信システムに適用できる。
【図面の簡単な説明】
【００５０】
【図１】本発明の移動通信システムの構成を示す図である。
【図２】一般的な移動通信システムの構成の一例を示す図である。
【図３】一般的な移動通信システムの構成の一例を示す図である。
【図４】（ａ）は従来のＢＳＣの位置登録処理を示す図であり、（ｂ）は本発明のＢＳＣの位置登録処理を示す図である。
【図５】（ａ）は従来のＢＳＣの位置登録処理を示す図であり、（ｂ）は本発明のＢＳＣの位置登録処理を示す図である。
【図６】ＢＳＣ及びＨＬＲの位置登録に関する機能分担を示す図である。
【図７】（ａ）は従来のＢＳＣの位置登録処理を示す図であり、（ｂ）は本発明のＢＳＣの位置登録処理を示す図である。
【図８】（ａ）は判定１の処理を示すフロー図であり、（ｂ）は判定２の処理を示すフロー図であり、（ｃ）はＢＳＣのＨＬＲ障害状態の判断結果を示す表である。
【図９】（ａ）は従来のＢＳＣの位置登録処理を示す図であり、（ｂ）は本発明のＢＳＣの位置登録処理を示す図である。
【図１０】ＨＬＲの２重化構成における処理を示す図である。
【図１１】ＢＳＣ−ＨＬＲ間の装置状態監視に係り、（ａ）はＨＬＲの２重化構成時のＢＳＣとの通信処理を示す図であり、（ｂ）はＨＬＲの２重化構成が無い時のＨＬＲとＢＳＣの通信処理を示す図である。
【符号の説明】
【００５１】
１    ビジターロケーションレジスタ（ＶＬＲ、管理装置の一例）
２Ａ、２Ｂ    ホームロケーションレジスタ（ＨＬＲ、管理装置の一例）
３Ａ、３Ｂ    回線制御装置（ＢＳＣ）
４−１、４−２、４−３、４−４、４Ａ−１、４Ａ−２、４Ｂ−１、４Ｂ−２    無線基地局（ＢＴＳ）
５、ＭＬ１、ＭＬ２    移動局（ＭＬ）
５Ａ−１、５Ａ−２、５Ｂ−１、５Ｂ−２    無線ゾーン
ＳＷ−ＨＵＢ１、ＳＷ−ＨＵＢ２    レイヤ３スイッチングハブ
ＤＢ１、ＤＢ２    データベース（位置情報管理手段の一例）
【図１】
2006332837.tif 000003
【図２】
2006332837.tif 000004
【図３】
2006332837.tif 000005
【図４】
2006332837.tif 000006
【図５】
2006332837.tif 000007
【図６】
2006332837.tif 000008
【図７】
2006332837.tif 000009
【図８】
2006332837.tif 000010
【図９】
2006332837.tif 000011
【図１０】
2006332837.tif 000012
【図１１】
2006332837.tif 000013